(57)【特許請求の範囲】
【請求項１】
フランジ部を有する家屋の横架材の前記フランジ部に、前記横架材に交わる向きにのびる家屋構成部材を固定する固定金物であって、
縦板状の固定金物本体に、該固定金物本体の一側縁で開口する開口部から他側縁方向に向かって横向きにのびかつ前記開口部から前記フランジ部を挿入して嵌着する嵌合スリットと、前記嵌合スリットよりも上方側に設けられかつ家屋構成部材固定用のビス状金具が通る挿通孔とを具え、
前記固定金物本体の一側面が前記フランジ部と鋭角に傾斜する傾斜状態Ｙａにおいて、前記嵌合スリットの上のスリット壁面と下のスリット壁面との間がなす前記フランジ部の厚さ方向Ｆ１の最小巾である傾斜スリット巾Ｗａが、フランジ部の厚さＴよりも大となり、該嵌合スリット内に前記フランジ部を挿入できかつフランジ部の長さ方向に横移動可能とするとともに、
前記固定金物本体の一側面が前記フランジ部と直角となる起立状態Ｙｂにおいて、前記嵌合スリットの上のスリット壁面と下のスリット壁面との間がなす前記フランジ部の厚さ方向Ｆ１の最小巾である起立スリット巾Ｗｂが、フランジ部の厚さＴよりも小となり、該嵌合スリット内に挿入したフランジ部と嵌合して前記固定金物本体をフランジ部に嵌着し、
前記嵌合スリットは、前記一側縁側に配される第１嵌合スリットと、前記他側縁側に配される第２嵌合スリットとが、横方向で連続して配置され、
前記第１嵌合スリット及び前記第２嵌合スリットは、前記起立スリット巾Ｗｂがそれぞれ異なることを特徴とする固定金物。
【請求項２】
前記固定金物本体の他側縁で開口する開口部から一側縁方向に向かって横向きにのびかつ前記開口部から前記フランジ部を挿入して嵌着する他方側の嵌合スリットを具え、
前記他方側の嵌合スリットは、前記他側縁側に配される第３嵌合スリットと、前記一側縁側に配される第４嵌合スリットとが、横方向で連続して配置され、
前記第３嵌合スリット及び前記第４嵌合スリットは、前記起立スリット巾Ｗｂがそれぞれ異なる請求項１に記載の固定金物。
【請求項３】
フランジ部を有する家屋の横架材の前記フランジ部に、前記横架材に交わる向きにのびる家屋構成部材を固定する固定金物であって、
縦板状の固定金物本体に、該固定金物本体の一側縁で開口する開口部から他側縁方向に向かって横向きにのびかつ前記開口部から前記フランジ部を挿入して嵌着する嵌合スリットと、前記嵌合スリットよりも上方側に設けられかつ家屋構成部材固定用のビス状金具が通る挿通孔とを具え、
前記固定金物本体の一側面が前記フランジ部と鋭角に傾斜する傾斜状態Ｙａにおいて、前記嵌合スリットの上のスリット壁面と下のスリット壁面との間がなす前記フランジ部の厚さ方向Ｆ１の最小巾である傾斜スリット巾Ｗａが、フランジ部の厚さＴよりも大となり、該嵌合スリット内に前記フランジ部を挿入できかつフランジ部の長さ方向に横移動可能とするとともに、
前記固定金物本体の一側面が前記フランジ部と直角となる起立状態Ｙｂにおいて、前記嵌合スリットの上のスリット壁面と下のスリット壁面との間がなす前記フランジ部の厚さ方向Ｆ１の最小巾である起立スリット巾Ｗｂが、フランジ部の厚さＴよりも小となり、該嵌合スリット内に挿入したフランジ部と嵌合して固定金物本体をフランジ部に嵌着し、
前記固定金物本体は、前記一側縁側に、起立スリット巾Ｗｂが実質的に同一かつ上下に距離を隔てて形成される第１、第２の嵌合スリットを少なくとも含み、
しかも、前記第２の嵌合スリットでは、前記下壁面突出部が一側面側に、かつ上壁面突出部が他側面側に位置ズレするとともに、前記第１の嵌合スリットでは、下壁面突出部が他側面側に、かつ上壁面突出部が一側面側に位置ズレすることを特徴とする固定金物。
【請求項４】
前記起立状態Ｙｂ、かつ前記嵌合スリットの長さ方向と直角なスリット断面において、
前記嵌合スリットは、前記上のスリット壁面に、下方に最も突出する上壁面突出部を有し、かつ下のスリット壁面に、上方に最も突出する下壁面突出部を有し、しかも前記上壁面突出部と下壁面突出部との間の前記厚さ方向Ｆ１の距離Ｋが、前記起立スリット巾Ｗｂをなすとともに、
前記下壁面突出部が、前記固定金物本体の厚さ方向Ｆ２の前記一側面側に、かつ上壁面突出部が、前記固定金物本体の厚さ方向Ｆ２の他側面側に互いに距離Ｌを隔てて位置ズレすることにより、前記上壁面突出部と下壁面突出部との間の前記厚さ方向Ｆ１の距離Ｋは、固定金物本体の傾斜状態Ｙａ方向への傾斜とともに増加することを特徴とする請求項１乃至３のいずれかに記載の固定金物。
【請求項５】
前記家屋構成部材は、屋根の垂木であることを特徴とする請求項１〜４の何れかに記載の固定金物。
【請求項６】
固定金物を用いて、フランジ部を有する家屋の横架材の前記フランジ部に、前記横架材に交わる向きにのびる家屋構成部材を固定する固定方法であって、
前記固定金物は、縦板状の固定金物本体に、該固定金物本体の一側縁で開口する開口部から他側縁方向に向かって横向きにのびかつ前記開口部から前記フランジ部を挿入して嵌着する嵌合スリットと、前記嵌合スリットよりも上方側に設けられかつ家屋構成部材固定用のビス状金具が通る挿通孔とを具え、
前記固定金物本体の一側面が前記フランジ部と鋭角に傾斜する傾斜状態Ｙａにおいて、前記嵌合スリットの上のスリット壁面と下のスリット壁面との間がなす前記フランジ部の厚さ方向Ｆ１の最小巾である傾斜スリット巾Ｗａが、フランジ部の厚さＴよりも大となり、該嵌合スリット内に前記フランジ部を挿入できかつフランジ部の長さ方向に横移動可能とするとともに、
前記固定金物本体の一側面が前記フランジ部と直角となる起立状態Ｙｂにおいて、前記嵌合スリットの上のスリット壁面と下のスリット壁面との間がなす前記フランジ部の厚さ方向Ｆ１の最小巾である起立スリット巾Ｗｂが、フランジ部の厚さＴよりも小となり、該嵌合スリット内に挿入したフランジ部と嵌合して固定金物本体をフランジ部に嵌着し、
前記傾斜状態Ｙａにおいて、前記固定金物の嵌合スリットにフランジ部を挿入し、かつ固定金物の他側面が前記家屋構成部材と当接する位置まで前記フランジ部の長さ方向に横移動させることで固定金物を固定位置に位置合わせする位置合わせ段階と、
この固定位置にて、前記固定金物を起立状態Ｙｂに起こしつつ、前記挿通孔を通るビス状金具を家屋構成部材に固定することにより、前記フランジ部に家屋構成部材を固定する固定段階とを含むことを特徴とする家屋構成部材の固定方法。
【請求項７】
前記固定段階では、ビス状金具が家屋構成部材内に進入する進入力によって、嵌合スリットとフランジ部との嵌合が行われることを特徴とする請求項６記載の家屋構成部材の固定方法。
【発明の詳細な説明】
【技術分野】
【０００１】
本発明は、家屋の横架材と交わる向きにのびる例えば垂木などの家屋構成部材を、前記横架材のフランジ部に作業性良くかつ精度良く固定しうる固定金物、及びそれを用いた家屋構成部材の固定方法に関する。
【背景技術】
【０００２】
例えば図１３（Ａ）に示すように、例えば母屋である横架材ａのフランジ部ａ１に、屋根勾配で傾斜する垂木ｂを固定する場合、平板状の固定金物ｃが従来から広く使用されてる（例えば特許文献１参照。）。
【０００３】
この固定金物ｃは、図１３（Ｂ）に示すように、縦板状の固定金物本体ｃ１に、該固定金物本体ｃ１の一側縁で開口し他側縁方向に向かって横向きにのびる嵌合スリットｄと、垂木ｂ固定用のビス状金具が通る挿通孔ｅとが形成されている。又前記嵌合スリットｄは、そのスリット巾Ｗが前記フランジ部ａ１の厚さよりも狭いテーパ孔であって、例えばハンマーｆを用いてフランジ部ａ１に打ち込むことにより固定金物ｃを取り付けている。
【０００４】
しかし、このような固定金物ｃは、打ち込みの際の騒音が大であり周囲の迷惑となる。又１枚の固定金物ｃをフランジ部ａ１に固定するためには、約１５秒程度の打ち込みを要し、しかも家屋一軒当たり２８０枚程度若しくはそれ以上の固定金物ｃが必要となる。そのため固定金物ｃ自体の固定に多くの手間と労力が必要となり、作業効率を著しく損ねている。又一度打ち込むと容易に外れないため、例えばハンマーｆなどで叩いて横移動させ、位置合わせや位置修正が行われるが、そのためフランジ部の塗装の剥げ落ちを招き、錆の問題なども発生する。
【先行技術文献】
【特許文献】
【０００５】
【特許文献１】特開２００３−１１３６５６号公報
【発明の概要】
【発明が解決しようとする課題】
【０００６】
そこで本発明は、ハンマーなどによる打ち込みを要することなく固定金物をフランジ部に固定でき、前記打ち込みに起因する騒音の発生や作業効率の低下を抑制しうるとともに、フランジ部の塗装の剥げ落ちなどを招くことなく固定金物の位置合わせや位置修正などを容易にかつ精度良く行いうる固定金物、及びそれを用いた家屋構成部材の固定方法を提供することを主たる目的としている。
【課題を解決するための手段】
【０００７】
上記課題を解決するために、本願請求項１の発明は、フランジ部を有する家屋の横架材の前記フランジ部に、前記横架材に交わる向きにのびる家屋構成部材を固定する固定金物であって、
縦板状の固定金物本体に、該固定金物本体の一側縁で開口する開口部から他側縁方向に向かって横向きにのびかつ前記開口部から前記フランジ部を挿入して嵌着する嵌合スリットと、前記嵌合スリットよりも上方側に設けられかつ家屋構成部材固定用のビス状金具が通る挿通孔とを具え、
前記固定金物本体の一側面が前記フランジ部と鋭角に傾斜する傾斜状態Ｙａにおいて、前記嵌合スリットの上のスリット壁面と下のスリット壁面との間がなす前記フランジ部の厚さ方向Ｆ１の最小巾である傾斜スリット巾Ｗａが、フランジ部の厚さＴよりも大となり、該嵌合スリット内に前記フランジ部を挿入できかつフランジ部の長さ方向に横移動可能とするとともに、
前記固定金物本体の一側面が前記フランジ部と直角となる起立状態Ｙｂにおいて、前記嵌合スリットの上のスリット壁面と下のスリット壁面との間がなす前記フランジ部の厚さ方向Ｆ１の最小巾である起立スリット巾Ｗｂが、フランジ部の厚さＴよりも小となり、該嵌合スリット内に挿入したフランジ部と嵌合して前記固定金物本体をフランジ部に嵌着し、
前記嵌合スリットは、前記一側縁側に配される第１嵌合スリットと、前記他側縁側に配される第２嵌合スリットとが、横方向で連続して配置され、
前記第１嵌合スリット及び前記第２嵌合スリットは、前記起立スリット巾Ｗｂがそれぞれ異なることを特徴としている。
【０００８】
又請求項２の発明では、前記固定金物本体の他側縁で開口する開口部から一側縁方向に向かって横向きにのびかつ前記開口部から前記フランジ部を挿入して嵌着する他方側の嵌合スリットを具え、
前記他方側の嵌合スリットは、前記他側縁側に配される第３嵌合スリットと、前記一側縁側に配される第４嵌合スリットとが、横方向で連続して配置され、
前記第３嵌合スリット及び前記第４嵌合スリットは、前記起立スリット巾Ｗｂがそれぞれ異なることを特徴としている。
【０００９】
又請求項３の発明では、フランジ部を有する家屋の横架材の前記フランジ部に、前記横架材に交わる向きにのびる家屋構成部材を固定する固定金物であって、
縦板状の固定金物本体に、該固定金物本体の一側縁で開口する開口部から他側縁方向に向かって横向きにのびかつ前記開口部から前記フランジ部を挿入して嵌着する嵌合スリットと、前記嵌合スリットよりも上方側に設けられかつ家屋構成部材固定用のビス状金具が通る挿通孔とを具え、
前記固定金物本体の一側面が前記フランジ部と鋭角に傾斜する傾斜状態Ｙａにおいて、前記嵌合スリットの上のスリット壁面と下のスリット壁面との間がなす前記フランジ部の厚さ方向Ｆ１の最小巾である傾斜スリット巾Ｗａが、フランジ部の厚さＴよりも大となり、該嵌合スリット内に前記フランジ部を挿入できかつフランジ部の長さ方向に横移動可能とするとともに、
前記固定金物本体の一側面が前記フランジ部と直角となる起立状態Ｙｂにおいて、前記嵌合スリットの上のスリット壁面と下のスリット壁面との間がなす前記フランジ部の厚さ方向Ｆ１の最小巾である起立スリット巾Ｗｂが、フランジ部の厚さＴよりも小となり、該嵌合スリット内に挿入したフランジ部と嵌合して固定金物本体をフランジ部に嵌着し、
前記固定金物本体は、前記一側縁側に、起立スリット巾Ｗｂが実質的に同一かつ上下に距離を隔てて形成される第１、第２の嵌合スリットを少なくとも含み、
しかも、前記第２の嵌合スリットでは、前記下壁面突出部が一側面側に、かつ上壁面突出部が他側面側に位置ズレするとともに、前記第１の嵌合スリットでは、下壁面突出部が他側面側に、かつ上壁面突出部が一側面側に位置ズレすることを特徴としている。
【００１０】
又請求項４の発明では、前記起立状態Ｙｂ、かつ前記嵌合スリットの長さ方向と直角なスリット断面において、
前記嵌合スリットは、前記上のスリット壁面に、下方に最も突出する上壁面突出部を有し、かつ下のスリット壁面に、上方に最も突出する下壁面突出部を有し、しかも前記上壁面突出部と下壁面突出部との間の前記厚さ方向Ｆ１の距離Ｋが、前記起立スリット巾Ｗｂをなすとともに、
前記下壁面突出部が、前記固定金物本体の厚さ方向Ｆ２の前記一側面側に、かつ上壁面突出部が、前記固定金物本体の厚さ方向Ｆ２の他側面側に互いに距離Ｌを隔てて位置ズレすることにより、前記上壁面突出部と下壁面突出部との間の前記厚さ方向Ｆ１の距離Ｋは、固定金物本体の傾斜状態Ｙａ方向への傾斜とともに増加することを特徴としている。
【００１１】
又請求項５の発明では、前記家屋構成部材は、屋根の垂木であることを特徴としている。
【００１２】
又請求項６の発明は、固定金物を用いて、フランジ部を有する家屋の横架材の前記フランジ部に、前記横架材に交わる向きにのびる家屋構成部材を固定する固定方法であって、
前記固定金物は、縦板状の固定金物本体に、該固定金物本体の一側縁で開口する開口部から他側縁方向に向かって横向きにのびかつ前記開口部から前記フランジ部を挿入して嵌着する嵌合スリットと、前記嵌合スリットよりも上方側に設けられかつ家屋構成部材固定用のビス状金具が通る挿通孔とを具え、
前記固定金物本体の一側面が前記フランジ部と鋭角に傾斜する傾斜状態Ｙａにおいて、前記嵌合スリットの上のスリット壁面と下のスリット壁面との間がなす前記フランジ部の厚さ方向Ｆ１の最小巾である傾斜スリット巾Ｗａが、フランジ部の厚さＴよりも大となり、該嵌合スリット内に前記フランジ部を挿入できかつフランジ部の長さ方向に横移動可能とするとともに、
前記固定金物本体の一側面が前記フランジ部と直角となる起立状態Ｙｂにおいて、前記嵌合スリットの上のスリット壁面と下のスリット壁面との間がなす前記フランジ部の厚さ方向Ｆ１の最小巾である起立スリット巾Ｗｂが、フランジ部の厚さＴよりも小となり、該嵌合スリット内に挿入したフランジ部と嵌合して固定金物本体をフランジ部に嵌着し、
前記傾斜状態Ｙａにおいて、前記固定金物の嵌合スリットにフランジ部を挿入し、かつ固定金物の他側面が前記家屋構成部材と当接する位置まで前記フランジ部の長さ方向に横移動させることで固定金物を固定位置に位置合わせする位置合わせ段階と、
この固定位置にて、前記固定金物を起立状態Ｙｂに起こしつつ、前記挿通孔を通るビス状金具を家屋構成部材に固定することにより、前記フランジ部に家屋構成部材を固定する固定段階とを含むことを特徴としている。
【００１３】
又請求項７の発明では、前記固定段階では、ビス状金具が家屋構成部材内に進入する進入力によって、嵌合スリットとフランジ部との嵌合が行われることを特徴としている。
【発明の効果】
【００１４】
本発明の固定金物の嵌合スリットは、前記傾斜状態Ｙａにおけるフランジ厚さ方向Ｆ１のスリット巾Ｗａをフランジ部の厚さＴよりも大とし、かつ起立状態Ｙｂにおけるフランジ厚さ方向Ｆ１のスリット巾Ｗｂをフランジ部の厚さＴよりも小としている。
【００１５】
従って、前記傾斜状態Ｙａでは、打ち込みすることなく嵌合スリット内にフランジ部を挿入でき、しかもその挿入状態のままフランジ部の長さ方向に自在に横移動しうる。即ち、フランジ部の塗装の剥げ落ちなどを招くことなく、固定金物の位置合わせや位置修正などを容易にかつ精度良く行ことができる。又前記起立状態Ｙｂでは、スリット巾Ｗｂがフランジ部の厚さＴよりも小となる。そのため、前記傾斜状態Ｙａの固定金物を起立状態Ｙｂに起こすことで、前記嵌合スリット内に挿入したフランジ部を嵌合スリットと嵌合させることができる。即ちハンマーなどによる打ち込みを要することなく、固定金物をフランジ部に嵌着させることができ、打ち込みに起因する騒音の発生や、作業効率の低下を抑制することができる。
【００１６】
なお前記起立状態Ｙｂ、かつ嵌合スリットの長さ方向と直角なスリット断面において、上のスリット壁面に、下方に最も突出する上壁面突出部を形成し、かつ下のスリット壁面に、上方に最も突出する下壁面突出部を形成するとともに、この下壁面突出部と上壁面突出部とを固定金物本体の厚さ方向Ｆ２に位置ズレせることで、傾斜状態Ｙａでのスリット巾Ｗａを大に、かつ起立状態Ｙｂでのスリット巾Ｗｂを小に設定することができる。
【図面の簡単な説明】
【００１７】
【図１】本発明の固定金物を用いて家屋の横架材に、家屋構成部材を固定した固定構造を示す側面図である。
【図２】その固定構造の一部を示す斜視図である。
【図３】（Ａ）、（Ｂ）は、固定金物の正面図、及びそのＡ−Ａ線断面図である。
【図４】固定金物のフランジ部への取付方法を示す正面図である。
【図５】（Ａ）は傾斜状態における嵌合スリットを示す断面図、（Ｂ）は起立状態における嵌合スリットを示す断面図である。
【図６】（Ａ）〜（Ｃ）は、嵌合スリットの他の実施例を示す断面図である。
【図７】（Ａ）〜（Ｄ）は、嵌合スリットのさらに他の実施例を示す断面図である。
【図８】（Ａ）〜（Ｃ）は、嵌合スリットのさらに他の実施例を示す断面図である。
【図９】（Ａ）、（Ｂ）は、固定金物の他の実施例を示す正面図、及びそのＢ−Ｂ線断面図である。
【図１０】（Ａ）〜（Ｃ）は、固定金物のさらに他の実施例を示す正面図、及びそのＣ−Ｃ線断面図、Ｄ−Ｄ線断面図である。
【図１１】（Ａ）〜（Ｃ）は、固定金物のさらに他の実施例を示す正面図、そのＥ−Ｅ線断面図、及びその使用状態を示す説明図である。
【図１２】家屋構成部材が、横架材から立ち上がる柱である場合の、固定金物による固定構造を示す斜視図である。
【図１３】（Ａ）は、従来の固定金物を用いた母屋と垂木との固定構造を示す側面図、（Ｂ）は、従来の固定金物の問題点を説明する側面図である。
【発明を実施するための形態】
【００１８】
以下、本発明の実施の形態について、詳細に説明する。
図１、２は、本発明の固定金物１を用いて家屋の横架材２に、家屋構成部材３を固定した固定構造を示す側面図及び斜視図である。
【００１９】
図１、２において、前記横架材２は、本例では母屋であって、例えば垂直なウエブ４の上下に、水平な上下のフランジ部５Ｕ、５Ｌを設けたＨ形鋼から形成されている。又前記家屋構成部材３は、本例では棟から軒先に向かって屋根勾配で傾斜する垂木であって、断面矩形の木質材からなる場合が例示されている。
【００２０】
又前記固定金物１は、図３（Ａ）、（Ｂ）に示すように、縦板状の固定金物本体６に、該固定金物本体６の一側縁Ｅ１で開口する開口部７ａから他側縁Ｅ２方向に向かって横向きにのびかつ前記開口部７ａから前記上のフランジ部５Ｕを挿入して嵌着する嵌合スリット７と、前記嵌合スリット７よりも上方側に設けられかつ家屋構成部材固定用のビス状金具８（図４に示す。）が通る複数の挿通孔９とを具える。
【００２１】
そしてこの固定金物１では、前記嵌合スリット７において下記のような特徴を有する。図５（Ａ）に示すように、前記固定金物本体６の一側面Ｓ１が前記フランジ部５Ｕに対して鋭角の角度θで傾斜する傾斜状態Ｙａにおいて、前記嵌合スリット７は、上のスリット壁面７Ｕと下のスリット壁面７Ｌとの間がなす前記フランジ部５Ｕの厚さ方向Ｆ１（以下、フランジ厚さ方向Ｆ１という。）の最小巾である傾斜スリット巾Ｗａを、前記フランジ部５Ｕの厚さＴ（以下、フランジ厚さＴという。）よりも大とするととともに、図５（Ｂ）に示すように、前記固定金物本体６の一側面Ｓ１が前記フランジ部５Ｕと直角となる起立状態Ｙｂにおいて、前記嵌合スリット７の上のスリット壁面７Ｕと下のスリット壁面７Ｌとの間がなす前記フランジ厚さ方向Ｆ１の最小巾である起立スリット巾Ｗｂを、前記フランジ厚さＴよりも小とするという特徴を有する。
【００２２】
このように前記傾斜状態Ｙａでは  Ｗａ＞Ｔとなるため、前記固定金物１は、この傾斜状態Ｙａのとき、フランジ部５Ｕを嵌合スリット７内に遊挿でき、しかもその遊挿状態のままフランジ部５Ｕの長さ方向に沿って自在に横移動できる。又前記起立状態Ｙｂにおいては  Ｗｂ＜Ｔとなる。そのため、前記傾斜状態Ｙａの固定金物１を傾斜状態Ｙａから起立状態Ｙｂまで傾動させることで、前記嵌合スリット７内のフランジ部５Ｕと嵌合スリット７とを強固に嵌合させることができる。
【００２３】
ここで、前記特徴は、下記の如く構成することにより達成できる。即ち、前記起立状態Ｙｂ、かつ嵌合スリット７の長さ方向と直角なスリット断面（図５（Ｂ）に示す。）において、前記上のスリット壁面７Ｕに、下方に最も突出する上壁面突出部７Ｕａを形成し、かつ下のスリット壁面７Ｌに、上方に最も突出する下壁面突出部７Ｌａを形成するとともに、この下壁面突出部７Ｌａを、前記固定金物本体６の厚さ方向Ｆ２の前記一側面Ｓ１側に、かつ上壁面突出部７Ｕａを前記厚さ方向Ｆ２の他側面Ｓ２側に互いに距離Ｌを隔てて位置ズレさせるのである。
【００２４】
このように構成することで、前記起立状態Ｙｂにおける、前記上壁面突出部７Ｕａと下壁面突出部７Ｌａとの間の前記フランジ厚さ方向Ｆ１の距離Ｋが、最小のスリット巾となって前記起立スリット巾Ｗｂを構成する。又前記上壁面突出部７Ｕａと下壁面突出部７Ｌａとの間の前記フランジ厚さ方向Ｆ１の距離Ｋは、固定金物本体６の傾斜状態Ｙａの方向への傾斜とともに増加し、スリット巾がフランジ厚さＴより大となる前記傾斜スリット巾Ｗａを得ることができる。
【００２５】
本例では、前記図５（Ｂ）に示す如く、前記上のスリット壁面７Ｕは、固定金物本体６をカットする際のカット端面１０によって形成されている。そしてこのカット端面１０を、前記他側面Ｓ２側に向かって下傾斜する斜面とすることで、他側面Ｓ２側にエッジ状の上壁面突出部７Ｕａを形成している。即ち、前記上のスリット壁面７Ｕは、他側面Ｓ２に対して鋭角に傾斜する傾斜面からなり、その先端に上壁面突出部７Ｕａをエッジ状に形成している。又前記下のスリット壁面７Ｕは、前記固定金物本体６のカット部近傍を一側面Ｓ１側に向かって例えば円弧状に切り起こしてなる切り起こし部１１の側面によって形成される。即ち、本例の下のスリット壁面７Ｌは、前記他側面Ｓ２から凸円弧状に湾曲してのびる凸円弧面からなり、その先端側に下壁面突出部７Ｌａを形成している。このように、下のスリット壁面７Ｕを凸円弧面とすることで、傾斜状態Ｙａからの固定金物１の起立を円滑に行うことができる。又上壁面突出部７Ｕａをエッジ状とすることで、起立状態Ｙｂにおいて、フランジ部５Ｕに強く噛み込ませることができ、強固な嵌合を行いうる。又本例では前記切り起こしにより、前記下壁面突出部７Ｌａを一側面Ｓ１よりも外側に位置させ、これによって上壁面突出部７Ｕａと下壁面突出部７Ｌａとの間の前記厚さ方向Ｆ２の距離Ｌを大きく確保している。この距離Ｌを大とすることは、前記傾斜スリット巾Ｗａと起立スリット巾Ｗｂとの差（Ｗａ−Ｗｂ）を大きく確保する上で有利となる。
【００２６】
このような固定金物１は、例えば図４に示すように、
（１）前記傾斜状態Ｙａにおいて、その嵌合スリット７にフランジ部５Ｕを遊挿し、かつ固定金物１の他側面Ｓ２が前記家屋構成部材３と当接する位置まで前記フランジ部５Ｕの長さ方向に横移動させることで固定金物１を固定位置Ｐに位置合わせする位置合わせ段階Ｊ１と、  
（２）この固定位置Ｐにて、前記固定金物１を傾斜状態Ｙａから起立状態Ｙｂに起こしつつ、前記挿通孔９を通るビス状金具８を家屋構成部材３に固定することにより、前記フランジ部５Ｕに家屋構成部材３を固定する固定段階Ｊ２と、
を含んで固定することができる。なおビス状金具８とは、ネジ部を周囲に螺刻した木ねじ類、ボルト類等を意味し、前記家屋構成部材３の材質などによって適宜選択される。
【００２７】
又前記固定段階Ｊ２では、ビス状金具８が家屋構成部材３内に進入（螺入）する進入力によって、嵌合スリット７とフランジ部５Ｕとの嵌合が行われる。このとき、前記ビス状金具８の進入位置、即ち前記挿通孔９が力点Ｑ１、前記上壁面突出部７Ｕａが支点Ｑ２、前記下壁面突出部７Ｌａが作用点Ｑ３となるため、小さいビス固定力によって大きな嵌合力を得ることができる。
【００２８】
なお図６〜８に、嵌合スリット７の他の実施例を示す。
前記上のスリット壁面７Ｕを、カット端面１０にて形成する場合、本例の如く、該カット端面１０を下傾斜の傾斜面として形成しうる他、例えば図７（Ａ）〜（Ｃ）、図８（Ａ）〜（Ｃ）に示すように、カット端面１０を、前記他側面Ｓ２と直角な直角面として形成することができる。なお直角面とする場合、前記上のスリット壁面７Ｕの全面が上壁面突出部７Ｕａを形成する。又傾斜面とする場合にも、例えば図６（Ａ）、（Ｂ）、図７（Ｄ）に示すように、前記上壁面突出部７Ｕａをエッジ状に代えて、小巾の直角面として形成することもできる。
【００２９】
又下のスリット壁面７Ｌを、切り起こし部１１によって形成する場合、本例及び図７（Ｃ）、（Ｄ）の如く、凸円弧状の切り起こし部１１によって形成しうる他、例えば図６（Ｂ）、（Ｃ）、図７（Ａ）、（Ｂ）に示すように、一側面Ｓ１側に斜めに切り起こされた傾斜状の切り起こし部１１によって形成することができる。このとき、下壁面突出部７Ｌａをエッジ状に形成する他、例えば図７（Ｂ）に示すように、切り起こし部１１の先端面が一側面Ｓ１と直角な直角面となるように、前記切り起こし部１１を屈曲させることにより、前記切り起こし部１１の先端面全面によって下壁面突出部７Ｌａを形成することができる。なお図６（Ｃ）の如く、上のスリット壁面７Ｕを、円弧状、傾斜状等の切り起こし部１１によって形成することもできる。又図６（Ａ）の如く、下のスリット壁面７Ｌを、一側面Ｓ１に向かって上傾斜する、即ち一側面Ｓ１に対して鋭角に傾斜する傾斜面として形成することもできる。
【００３０】
又図８（Ａ）〜（Ｃ）に示すように、固定金物本体６を、縦板状の主部６Ａと、その一側面側に例えば溶接などによって一体に固着される側板状の副部６Ｂとから構成するとともに、この副部６Ｂの端部によって、カット端面１０、切り起こし部１１等からなる下のスリット壁面７Ｌを形成することもできる。
【００３１】
又図９〜図１１に、固定金物１の他の実施例を示す。
図９（Ａ）、（Ｂ）には、固定金物本体６に、起立スリット巾Ｗｂを違えた複数（本例では２つ）の嵌合スリット７Ａ、７Ｂを具えた固定金物１の一例が示されている。この嵌合スリット７Ａ、７Ｂは、例えば下のスリット壁面７Ｌが共通であり、各上のスリット壁面７ＵＡ、７ＵＢが、それぞれ一側縁Ｅ１からの深さを違えて形成されている。この固定金物１の場合には、フランジ厚さＴが異なる２種類の家屋構成部材３に対応することができる。
【００３２】
又図１０（Ａ）〜（Ｃ）には、固定金物本体６に、起立スリット巾Ｗｂを違えた複数（本例では４つ）の嵌合スリット７Ａ〜７Ｄを具えた固定金物１の一例が示されている。本例では、一側縁Ｅ１側かつ下方側には、前記図９の場合と同様、例えば下のスリット壁面７Ｌを共通とし、かつ上のスリット壁面７ＵＡ、７ＵＢを前記一側縁Ｅ１からの深さを違えてそれぞれ形成した２つの一方側の嵌合スリット７Ａ、７Ｂが設けられる。又他側縁Ｅ２側かつ上方側には、例えば上のスリット壁面７Ｕを共通とし、かつ下のスリット壁面７ＬＣ、７ＬＤを前記他側縁Ｅ２からの深さを違えてそれぞれ形成した２つの他方側の嵌合スリット７Ｃ、７Ｄが設けられる。この固定金物１の場合、図１０の状態で使用することにより、前記一方側の嵌合スリット７Ａ、７Ｂにより、フランジ厚さＴが異なる２種類の家屋構成部材３に対応することができる。又固定金物１の上下を１８０度反転させることで、一方側の嵌合スリット７Ａ、７Ｂと他方側の嵌合スリット７Ｃ、７Ｄとが位置替えするため、この他方側の嵌合スリット７Ｃ、７Ｄにより、フランジ厚さＴがさらに異なる２種類の家屋構成部材３、合計４種類の家屋構成部材３に対応することができる。
【００３３】
なお嵌合スリット７において起立スリット巾Ｗｂを違える場合、上のスリット壁面７Ｕを共通することもできる。
【００３４】
又図１１（Ａ）〜（Ｃ）には、固定金物本体６の一側縁Ｅ１側に、起立スリット巾Ｗｂが実質的に等しい第１、第２の嵌合スリット７Ａ１、７Ａ２が上下に距離を隔てて形成された固定金物１が例示される。本例では、図１１（Ｂ）に示すように、第２の嵌合スリット７Ａ２では、下壁面突出部７Ｌａ２が一側面Ｓ１側に、かつ上壁面突出部７Ｕａ２が他側面Ｓ２側に位置ズレするのに対して、第１の嵌合スリット７Ａ１では、下壁面突出部７Ｌａ１が他側面Ｓ２側に、かつ上壁面突出部７Ｕａ１が一側面Ｓ１側に位置ズレしている。特に本例では、第２の嵌合スリット７Ａ２のスリット断面形状と、第１の嵌合スリット７Ａ１のスリット断面形状とが、上下を反転させた対称形状に形成された場合が示される。
【００３５】
この固定金物１では、図１１（Ｃ）に示すように、第２の嵌合スリット７Ａ２を用いることにより、固定金物１の例えば右側に家屋構成部材３を取り付けることができ、又上下を反転し第１の嵌合スリット７Ａ１を用いることにより、固定金物１の左側に家屋構成部材３を取り付けることができる。即ち、家屋構成部材３に対して左右どちらからも固定金物１を固定することができる。なお前記第１、第２の嵌合スリット７Ａ１、７Ａ２には、フランジ厚さＴが異なる２種類の家屋構成部材３に対応させるために、前記図９に示す如きスリット形状を採用することもできる。
【００３６】
又図１２には、家屋構成部材３は、フランジ部５Ｕから立設する柱状体の場合が示される。かかる場合には、４枚の固定金物１を用いて家屋構成部材３を固定する。
【００３７】
以上、本発明の特に好ましい実施形態について詳述したが、本発明は図示の実施形態に限定されることなく、種々の態様に変形して実施しうる。
【符号の説明】
【００３８】
１     固定金物
２     横架材
３     家屋構成部材
５Ｕ   フランジ部
６     固定金物本体
７     嵌合スリット
７ａ   開口部
７Ｕ   上のスリット壁面
７Ｕａ 上壁面突出部
７Ｌ   下のスリット壁面
７Ｌａ 下壁面突出部
８     ビス状金具
９     挿通孔
Ｅ１   一側縁
Ｅ２   他側縁
Ｊ１   位置合わせ段階
Ｊ２   固定段階
Ｐ     固定位置
Ｓ１   一側面
【図１】
0005451471.tif 000002
【図２】
0005451471.tif 000003
【図３】
0005451471.tif 000004
【図４】
0005451471.tif 000005
【図５】
0005451471.tif 000006
【図６】
0005451471.tif 000007
【図７】
0005451471.tif 000008
【図８】
0005451471.tif 000009
【図９】
0005451471.tif 000010
【図１０】
0005451471.tif 000011
【図１１】
0005451471.tif 000012
【図１２】
0005451471.tif 000013
【図１３】
0005451471.tif 000014